(57)【要約】      （修正有）【課題】地図情報の更新に伴い、更新された道路情報や施設情報等を使用者が容易に把握することができる経路案内装置および地図情報更新システムを提供する。【解決手段】経路案内装置は、地図情報が格納される地図情報格納部と、前記地図情報格納部に格納された地図情報を更新する更新情報が格納される更新情報格納部と、前記更新情報を反映させて前記地図情報を最新の地図情報に更新する地図情報更新部と、前記最新の地図情報に反映された更新情報を前記地図情報と区別して、前記最新の地図情報を表示部に表示する制御部とを備える。【選択図】図２
2009244221.tif 000002
【特許請求の範囲】
【請求項１】
地図情報が格納される地図情報格納部と、
前記地図情報格納部に格納された地図情報を更新する更新情報が格納される更新情報格納部と、
前記更新情報を反映させて前記地図情報を最新の地図情報に更新する地図情報更新部と、
前記最新の地図情報に反映された更新情報を前記地図情報と区別して、前記最新の地図情報を表示部に表示する制御部とを備えたことを特徴とする経路案内装置。
【請求項２】
前記制御部は、前記最新の地図情報に反映された更新情報を前記地図情報と区別して、前記最新の地図情報を表示部に表示するとともに、前記最新の地図情報に反映された更新情報と施設に関する種類情報を含んだ更新情報との対応関係が識別可能に、前記表示部に一覧表示することを特徴とする請求項１記載の経路案内装置。
【請求項３】
使用者の個別情報を登録する登録部を備え、
前記制御部は、前記登録部に登録された個別情報に基づいて前記表示部に表示する前記更新情報を選択して前記表示部に表示することを特徴とする請求項１または２記載の経路案内装置。
【請求項４】
前記制御部は、自車両の現在位置を導き出して、導き出された前記自車両の現在位置から所定距離以内にある前記更新情報を前記表示部に表示することを特徴とする請求項１ないし３の何れかに記載の経路案内装置。
【請求項５】
前記制御部は、前記更新情報を所定期間だけ前記表示部に表示することを特徴とする請求項１ないし４の何れかに記載の経路案内装置。
【請求項６】
前記地図情報格納部に格納された地図情報を更新する更新情報を配信する配信部と、
前記配信部から配信される前記更新情報を受信する通信部を備えており、前記通信部で受信した前記更新情報が前記更新情報格納部に格納される請求項１ないし５の何れかに記載の経路案内装置とからなることを特徴とする地図情報配信システム。
【発明の詳細な説明】
【技術分野】
【０００１】
本発明は、経路案内に用いられる経路案内装置および地図情報配信システムに関する。
【背景技術】
【０００２】
ナビゲーション装置は、ハードディスクやＤＶＤ−ＲＯＭ等の記憶媒体に記憶された地図情報を読み出して、地図情報の表示や経路案内を行う。しかしながら、現実の地理は、道路の新設、施設の移転等により日々刻々と変化している。そこで、前記記憶媒体に記憶された地図情報に基づいて、目的地の設定や経路検索を行う場合には、新しい道路、施設の情報や移転した施設の情報等を考慮できなかった。つまり、従来のナビゲーション装置では、現状に即した地図情報に基づいた目的地の設定や経路検索ができなかった。そこで、現状に即した地図情報に基づいて目的地の設定や経路検索ができるナビゲーション装置が要望されていた。
【０００３】
このような要望から、例えば特許文献１に記載されているような、配信サーバからダウンロードした最新の更新情報を地図情報に反映させて、現状に即した道路情報や施設情報を表示できるナビゲーション装置が提案されている。このようなナビゲーション装置では、現状に即した地図情報に基づいて目的地の設定や経路検索を行うことができる。
【特許文献１】特開２００２−２４３４６９号
【発明の開示】
【発明が解決しようとする課題】
【０００４】
しかしながら、地図情報は道路の新設、店舗の施設の移り変わり等により日々刻々と変化しているために、このようなナビゲーション装置では、どの道路、施設等が新しく地図情報に反映されたか、把握することが難しいという問題があった。
【０００５】
本発明は、上記事情に鑑みてなされたものであり、その目的は、地図情報の更新に伴い、更新された道路情報や施設情報等を使用者が容易に把握することができる経路案内装置および地図情報更新システムを提供することにある。
【課題を解決するための手段】
【０００６】
請求項１に記載の経路案内装置は、地図情報が格納される地図情報格納部と、前記地図情報格納部に格納された地図情報を更新する更新情報が格納される更新情報格納部と、前記更新情報を反映させて前記地図情報を最新の地図情報に更新する地図情報更新部と、前記最新の地図情報に反映された更新情報を前記地図情報と区別して、前記最新の地図情報を表示部に表示する制御部とを備えたことを特徴とする。
【０００７】
請求項１記載の経路案内装置によれば、制御部が最新の地図情報に反映された更新情報を前記地図情報と区別して表示する。従って、使用者は、地図情報の更新に伴い、更新された道路情報や施設情報等を容易に把握することができる。
【０００８】
請求項２に記載の経路案内装置は、前記制御部は、前記最新の地図情報に反映された更新情報を前記地図情報と区別して、前記最新の地図情報を表示部に表示するとともに、前記最新の地図情報に反映された更新情報と施設に関する種類情報を含んだ更新情報との対応関係が識別可能に、前記表示部に一覧表示することを特徴とする。
【０００９】
請求項２記載の経路案内装置によれば、制御部が最新の地図情報に反映された更新情報を地図情報と区別して、最新の地図情報を表示部に表示するとともに、最新の地図情報に反映された更新情報と施設に関する種類情報を含んだ更新情報との対応関係が識別可能に表示部に一覧表示する。従って、表示部に一覧表示された更新情報と、地図情報に反映されて前記地図情報とは区別して表示された施設に関する種類情報の対応関係を容易に識別することができ、更新情報を明確、且つ、容易に把握できる。
【００１０】
請求項３に記載の経路案内装置は、使用者の個別情報を登録する登録部を備え、前記制御部は、前記登録部に登録された個別情報に基づいて前記表示部に表示する前記更新情報を選択して前記表示部に表示することを特徴とする。
【００１１】
請求項３記載の経路案内装置によれば、経路案内装置は使用者の個別情報が登録された登録部を備えており、制御部は登録された個別情報に基づいて更新情報を選択して表示部に表示するので、使用者が必要とする更新情報が表示部に表示される。従って、使用者は、必要とする更新情報を容易に把握できる。
【００１２】
請求項４に記載の経路案内装置は、前記制御部が自車両の現在位置を導き出して、導き出された前記自車両の現在位置から所定距離以内にある前記更新情報を前記表示部に表示することを特徴とする。
【００１３】
請求項４記載の経路案内装置によれば、制御部により導き出される自車両の現在位置から所定距離以内にある更新情報を表示部に表示するので、使用者は、所定距離以内にある更新情報を容易に把握でき、所定距離以内にある更新情報を有効に活用することができる。
【００１４】
請求項５に記載の経路案内装置は、前記制御部が前記更新情報を所定期間だけ前記表示部に表示することを特徴とする。
【００１５】
請求項５記載の経路案内装置によれば、更新情報が所定期間だけ表示部に表示されるので、所定期間が経過して不要となった更新情報は表示部に表示されなくなり、使用者は必要とする新しい更新情報を容易に把握できる。
【発明を実施するための最良の形態】
【００１６】
（第１の実施形態）
以下、本発明の第１の実施形態について図１ないし図３を参照しながら説明する。図１は、本発明の地図情報配信システムの概略を示すブロック図である。
【００１７】
地図情報配信システムは、地図情報の配信サーバ（配信部に相当）１と車両に搭載されたナビゲーション装置（経路案内装置に相当）２とから構成されている。配信サーバ１は、現状に即した道路情報および施設情報を反映した地図情報（以下、更新情報と称す）を作成する機能を有しており、作成された更新情報を記憶しておく更新情報記憶部３を備えている。
【００１８】
ナビゲーション装置２には、携帯電話網４および基地局５からなるネットワーク６を介して、配信サーバ１と無線通信を行う通信部７が設けられている。配信サーバ１は、更新情報記憶部３に記憶された更新情報をナビゲーション装置２に、ネットワーク６を介して配信する構成となっている。なお、図１では配信サーバ１にナビゲーション装置２が１つだけ接続されているが、実際は複数のナビゲーション装置２が接続されている。
【００１９】
ナビゲーション装置２は制御部８に、上述した通信部７、ＧＰＳ受信部９、ＶＩＣＳ受信部１０、地図情報を記憶するハードディスク（地図情報格納部、更新情報格納部に相当）１１、地図情報を映像として出力する表示部１２、ナビゲーション装置２に対する各種操作を受け付ける操作部１３等が接続されて構成されている。
【００２０】
制御部８は、ナビゲーション装置２のシステム全体の制御機能及び各種データ処理機能を有するＣＰＵを主体として、ＲＡＭ、ＲＯＭおよびその他の周辺回路から構成されている。制御部８は、操作部１３からの操作信号に基づいてナビゲーション装置２のシステム全体の制御及び各種データ処理を行う構成となっている。
制御部８には、車両に設けられた自車両の進行方向を検出するジャイロセンサ１４と自車両の車速を検出する車速センサ１５が接続されている。ＧＰＳ受信部９は、ＧＰＳ（Ｇｌｏｂａｌ  Ｐｏｓｉｔｉｏｎｉｎｇ  Ｓｙｓｔｅｍ）衛星からのＧＰＳ信号を受信する機能を有している。ＶＩＣＳ受信部１０は、ビーコンやＦＭ多重放送により伝達されるＶＩＣＳ情報を受信する機能を有している。
【００２１】
ハードディスク（以下、ＨＤＤと称す）１１は、大容量の地図情報を記憶できる磁気ディスクから構成されており、地図情報を記憶している。また、ＨＤＤ１１は、配信サーバ１からダウンロードした更新情報を書き込むことができる構成となっている。
【００２２】
地図情報には、道路情報（種類情報に相当）と、各種施設の名称、住所、施設の用途に応じたジャンル等の施設情報（種類情報に相当）とが含まれている。これらは、施設に関する種類情報を含んだ更新情報であり、上記した道路情報、施設情報に限定されるものではなく、地理に関するものでもよい。施設に関する種類情報を含んだ更新情報を換言すると、更新種類情報ということができる。
【００２３】
施設情報に含まれる各種施設は、ジャンル毎にランドマークが設定されており、表示部１２には施設情報としてランドマークが表示される。
表示部１２は、液晶表示素子により構成される液晶パネル及びバックライトから構成されている。また、表示部１２の液晶パネルの表面には透明フィルムスイッチ等により構成されるタッチパネルスイッチ１６が設けられている。操作部１３は、ナビゲーション装置２に設けられた操作スイッチから構成されている。
【００２４】
ナビゲーション装置２に設けられた制御部８は、使用者の要求に応じて配信サーバ１からダウンロードした更新情報を一覧として表示部１２に表示する機能を有している。なお、使用者とは、例えば、ナビゲーション装置を使用する人のことであって、ナビゲーション装置を搭載した車両の運転者、同乗者を示す。
【００２５】
図２は、更新情報の一覧が表示された表示部１２の正面図を示している。なお、制御部８はＤＶＤ−ＲＯＭ等の記憶媒体から更新情報を取得する構成であってもよい。
【００２６】
制御部８は図２に示すように表示部１２の画面を二分割して、地図情報Ａと、配信サーバ１からダウンロードした更新情報Ｂを表示できる構成となっている。地図情報Ａには、道路情報と施設情報とともに、自車両の位置と進行方向を示す車両マーク１７が地図情報Ａの中心に表示される構成となっている。なお、車両マーク１７は、使用者の設定により予め登録されている図柄に変更できる。
【００２７】
更新情報Ｂは、表示部１２に一覧として表示される。更新情報Ｂの一覧には、更新情報Ｂが作成された年月日、更新情報Ｂのジャンル情報、更新情報Ｂの施設名称・自車両位置からみた方角・自車両位置からの直線距離、操作ボタン等が表示される。表示部１２に表示された地図情報Ａには、更新情報Ｂの施設情報が、ランドマークＣとして点滅して更新情報Ｂ以外の地図情報Ａとは区別して表示されている。例えば、更新情報Ｂは、更新情報Ｂ以外の地図情報Ａと区別されて強調表示されればよく、ランドマークが点滅ではなく、点灯表示される構成でもよい。
【００２８】
次に、上記構成の作用について説明する。ナビゲーション装置２に備えられた制御部８には、ＧＰＳ受信部９で受信したＧＰＳ信号が送信される。また、制御部８には、ジャイロセンサ１４で検出した進行方向情報と車速センサ１５で検出した車速情報が送信される。制御部８は、ＧＰＳ信号、進行方向情報および車速情報に基づいて自車両の位置と進行方向を検出する。
【００２９】
制御部８は、道路情報や施設のジャンル毎に設定されたランドマークＣが表示される地図情報Ａに自車両の位置および進行方向を対応付けて、自車両の位置および進行方向を示す自車両マーク１７を表示部１２に表示する。また、制御部８は、ＶＩＣＳ受信部１０で受信したＶＩＣＳ情報に基づいて、渋滞、道路工事、事故発生等に関する交通情報を地図情報に表示する。使用者は表示部１２に表示される地図情報Ａを見ることで、どのようなジャンルの施設が地図情報Ａにおいて何処に在るのかを容易に把握することができる。
【００３０】
表示部１２に表示された地図情報Ａから目的地を設定する場合、使用者は目的地としたい地図情報Ａの場所にタッチする。タッチパネルスイッチ１６にタッチ操作が行われると、タッチ操作が行われた地図情報Ａの場所が表示部１２の中心にくるように地図情報Ａが表示される。ここで、使用者が「目的地」と表示部１２に表示されたタッチパネルスイッチ１６にタッチ操作を行うと、制御部８はタッチ操作が行われた場所または施設を目的地として設定する。
【００３１】
一方、名称、住所、電話番号等から特定の場所または施設を目的地として設定する場合、使用者は道路または施設の名称、住所、電話番号等の条件から目的地の検索を行う。使用者が操作部１３またはタッチパネルスイッチ１６に対する操作を行い、検索条件を絞り込んで目的地を特定すると、制御部８は特定された場所または施設を目的地として設定する。
【００３２】
目的地が設定されると、制御部８はＨＤＤ１１に記憶されている地図情報に基づいて、自車両の現在位置から目的地までの経路検索を行い、表示部１２に表示されている地図情報Ａに自車両の現在位置から目的地までの経路を表示する。
【００３３】
上述したような目的地設定および経路検索において、ＨＤＤ１１に記憶される地図情報のバージョン情報が古い場合に、設定した目的地が存在しないことや、現状に即した地図情報に基づいた経路検索ができないことや、新設された施設情報が表示されないことがあった。このような事態を回避すべく、使用者がＨＤＤ１１に記憶されている地図情報のバージョン情報が古くて現状に即していないと判断した場合は、使用者は操作部１３またはタッチパネルスイッチ１６を操作して地図情報の更新要求操作を行う。
【００３４】
配信サーバ１は、現状に即した地図情報を作成しており、作成した地図情報（更新情報）を更新情報記憶部３に記憶している。更新情報記憶部３には、新設、移転または存在しなくなった道路情報や施設情報を更新するための更新情報が記憶されており、これらの道路情報や施設情報等の更新情報にはバージョン情報が記憶されている。バージョン情報には、道路情報や施設情報等の更新情報が作成された年月日の情報が含まれている。
【００３５】
使用者が地図情報の更新を要求する操作を操作部１３またはタッチパネルスイッチ１６に対して行うと、ナビゲーション装置２と配信サーバ１において地図情報の更新処理が開始される。地図情報の更新処理について、図３に示すフローチャートを参照して説明を行う。地図情報の更新処理が開始されると、制御部８は表示部１２の表示を地図情報Ａが表示された画面から更新情報選択画面に切り替える（ステップＳ１）。
【００３６】
ここで、図４も参照しながら更新情報選択画面について説明する。図４は、更新情報選択画面に表示される使用者が選択可能な選択肢の一例を示した図である。
【００３７】
更新情報選択画面には、図４に示すような「全地図情報」、「道路情報」、「施設情報」等の選択肢が表示され、使用者は第１選択肢を選択する更新情報選択処理を行う（ステップＳ２）。更新情報選択処理では、配信サーバ１の更新情報記憶部３に記憶されている更新情報のうち、ナビゲーション装置２にダウンロードする更新情報を使用者が選択する。
【００３８】
図４において、使用者は、ＨＤＤ１１に記憶されている地図情報を、現状に即した最新の地図情報に更新したい場合には「全地図情報」、道路情報だけを現状に即した最新の地図情報に更新したい場合には「道路情報」、施設情報だけを現状に即した最新の地図情報に更新したい場合には「施設情報」を、操作部１３またはタッチパネルスイッチ１６を介して、第１選択肢から選択する。
【００３９】
例えば、「施設情報」が選択されると、更新情報選択画面に「全施設」、「ジャンル」等の第２選択肢が表示される。使用者は、施設情報を全て更新したい場合には「全施設」、各種施設のジャンルを選択して、選択したジャンルの施設情報だけを更新したい場合には「ジャンル」を、第２選択肢から選択する。
例えば、第２選択肢の中から「ジャンル」が選択されると、「食事」、「ショッピング」、「スポーツ」、「レジャー」、「公共」等のジャンル別となる第３選択肢が表示され、使用者は更新したいジャンルを第３選択肢から選択する。
なお、「道路情報」が選択された場合においても、「一般道路」、「有料道路」、「高速道路」等のジャンル別に選択できる構成としてもよい。また、更新情報選択画面に表示される選択肢は、製品の仕様または使用者による設定によって、適宜変更できるものとする。
ナビゲーション装置２にダウンロードする更新情報を使用者の要望により選択できるので、使用者が必要とする更新情報だけを入手することができる。これにより、使用者が必要としない更新情報をダウンロードすることなく、更新情報のダウンロードを速やかに行うことができる。
【００４０】
図３に戻って、使用者が更新情報選択処理を行うと（ステップＳ２：ＹＥＳ）、ナビゲーション装置２は通信部７からネットワーク６を介して配信サーバ１に更新要求信号を送信する（ステップＳ３）。更新要求信号には、更新情報選択処理で選択された更新を要求する地図情報に関する情報、更新を希望する地図情報に対応するＨＤＤ１１に記憶されている地図情報の作成年月日または最近の更新年月日等を含むバージョン情報等が含まれている。
【００４１】
配信サーバ１が更新要求信号を受信すると（ステップＳ１０）、配信サーバ１は更新要求信号に基づいて、ナビゲーション装置２から配信サーバ１に対して更新が要求された地図情報を判別する（ステップＳ１１）。つまり、ステップＳ１１では、更新が要求された地図情報が、全地図情報なのか、道路情報なのか、施設情報の全施設か、ジャンル別なのか、判別を行う。
次に、配信サーバ１は、更新情報記憶部３に記憶されており、更新が要求されている更新情報のバージョン情報が、更新要求信号に含まれるバージョン情報よりも新しいか否かを判定する（ステップＳ１２）。
【００４２】
配信サーバ１が、更新要求信号に含まれるバージョン情報と更新情報のバージョン情報を比較して、更新要求信号に含まれるバージョン情報が最新であると判定した場合（ステップＳ１２：ＮＯ）、ナビゲーション装置２のＨＤＤ１１に記憶されている地図情報が最新であることを示す通知情報をナビゲーション装置２に送信することを決定する（ステップＳ１３）。
【００４３】
一方、配信サーバ１が、更新要求信号に含まれるバージョン情報が最新でないと判定した場合（ステップＳ１２：ＹＥＳ）、配信サーバ1は、更新要求信号に基づいて更新を要求された更新情報をナビゲーション装置２に送信することを決定する（ステップＳ１４）。
【００４４】
ステップＳ１３またはステップＳ１４においてナビゲーション装置２に送信する情報が決定すると、配信サーバ１はナビゲーション装置２に更新情報または通知情報を送信する（ステップＳ１５）。
【００４５】
ナビゲーション装置２が配信サーバ１から更新情報または通知情報を受信すると（ステップＳ４）、ナビゲーション装置２は受信した情報が更新情報か否かを判定する（ステップＳ５）。ステップＳ５において、制御部８が更新情報を受信していないと判定した場合は、制御部８は通知情報を受信したと判定する。
【００４６】
制御部８が更新情報を受信していないと判定した場合であって、つまり通知情報を受信したと判別した場合（ステップＳ５：ＮＯ）、制御部８は表示部１２に「地図情報は最新です。」とポップアップを表示（ステップＳ６）して、更新処理を終了する。
【００４７】
制御部８が更新情報をダウンロードしたと判定すると（ステップＳ５：ＹＥＳ）、制御部８はＨＤＤ１１に記憶された地図情報に更新情報を書き込むとともに（ステップＳ７）、ＨＤＤ１１に更新情報を記憶して（ステップＳ８）、更新処理を終了する。
【００４８】
制御部８がＨＤＤ１１に記憶された地図情報に更新情報を書き込んで更新処理が終了すると、次に、更新情報表示処理が開始される。更新情報表示処理について、図５を参照して説明を行う。図５は、更新情報表示処理のフローチャートを示している。
【００４９】
ナビゲーション装置２のＨＤＤ１１に記憶された地図情報に更新情報が書き込まれると、制御部８は更新情報を一覧として表示するか否かの選択を求める確認表示を表示部１２にポップアップ表示する（ステップＳ２０）。使用者が操作部１３またはタッチパネルスイッチ１６に対する操作を行って一覧の非表示を指示すると（ステップＳ２１：ＮＯ）、制御部８は更新情報表示処理を終了する。
【００５０】
使用者が更新情報の一覧の表示を指示すると（ステップＳ２１：ＹＥＳ）、制御部８はＨＤＤ１１に記憶されている更新情報を読み出して（ステップＳ２２）、一覧で表示部１２に表示する（ステップＳ２３）。
【００５１】
前述したように図２には、更新情報の一覧が表示された表示部１２の正面図が示されており、図２は、使用者が「施設情報」の「ショッピング」のジャンルを選択して、更新情報をダウンロードして、更新情報を一覧表示させた場合の表示部１２を示している。
【００５２】
使用者によって更新情報の一覧表示が要求されると、更新情報Ｂが一覧として表示部１２に表示されるとともに、地図情報Ａにおいて更新情報Ｂの施設情報を示すランドマークＣが点滅して、更新情報Ｂ以外の地図情報Ａとは区別して、更新情報Ｂ以外の地図情報Ａとは区別して強調表示される。
【００５３】
また、更新情報Ｂの一覧には、配信サーバ１で更新情報が作成された年月日、更新情報のジャンル区分、表示頁を切り替える「頁ボタン」、更新情報の一覧表示を終了させる「閉じるボタン」が表示されている。
【００５４】
使用者が更新情報Ｂの個別情報が表示されたタッチパネルスイッチ１６にタッチ操作すると、タッチ操作が行われた更新情報Ｂの個別情報に対応する地図情報Ａに表示された施設情報としてのランドマークＣが点滅して、更新情報Ｂ以外の地図情報Ａとは区別して強調表示される。再度、使用者が更新情報Ｂの個別情報が表示されたタッチパネルスイッチ１６にタッチ操作すると、選択された個別情報が目的地として設定されて、制御部８は自車両の現在位置から目的地までの経路検索を実行して、地図情報Ａに経路を表示する。更新情報Ｂの個別情報を目的地として設定して、使用者がこの個別情報の施設に立ち寄ると、この更新情報である個別情報のランドマークＣの強調表示は終了する。
【００５５】
目的地として設定されて立ち寄った施設以外の更新情報においても、更新情報をダウンロードしてから所定期間が経過したらランドマークＣの強調表示が終了する。ランドマークＣの強調表示を終了する所定期間は、使用者の設定により適宜変更可能である。
【００５６】
以上のような第１の実施形態によれば、制御部８は配信サーバ１からダウンロードした更新情報Ｂを地図情報ＡにランドマークＣとして、更新情報Ｂ以外の地図情報Ａとは区別して強調表示することで、更新情報Ｂを地図情報Ａと区別して表示部１２に表示するので、使用者は更新情報を容易に把握することができる。
【００５７】
制御部８は配信サーバ１からダウンロードした更新情報Ｂを表示部１２に一覧として表示して、更新情報Ｂを地図情報ＡにランドマークＣとして強調表示するので、使用者は更新された道路情報や施設情報等の更新情報をより一層、容易に把握することができる。
【００５８】
表示部１２に表示された地図情報Ａ上に更新情報ＢのランドマークＣが強調表示されているので、使用者は、ドライブ中に新しい施設に立ち寄って更新情報を有効に活用して、ドライブを快適に行うことができる。
【００５９】
使用者が更新情報Ｂの個別情報が表示されたタッチパネルスイッチ１６にタッチ操作すると、タッチ操作が行われた更新情報Ｂの個別情報に対応する地図情報Ａに表示された施設情報としてのランドマークＣが点滅して、更新情報Ｂ以外の地図情報Ａとは区別して強調表示される。従って、表示部８に一覧表示された更新情報Ｂと、地図情報Ａに反映されて強調表示された施設情報の対応関係を容易に識別することができ、更新情報を明確、且つ、容易に把握できる。
【００６０】
更新情報Ｂの個別情報を目的地として設定して、使用者がこの個別情報の施設に立ち寄ると、この個別情報のランドマークＣの強調表示は終了するので、使用者が認知した更新情報Ｂは表示部１２に表示されなくなる。従って、使用者が未だ認知できていない更新情報Ｂだけが表示部１２に表示されるので、使用者は認知していない更新情報Ｂを容易に把握できる。
また、使用者が目的地として設定された更新情報Ｂに立ち寄らなくても、更新情報Ｂがダウンロードされてから所定期間が経過したらランドマークＣの強調表示が終了する。これにより、配信サーバ１から更新情報をダウンロードしてから長い期間が経過した更新情報ＢがランドマークＣとして強調表示されることがない。従って、使用者は新しい更新情報Ｂを優先的に把握することができ、使用者は、ドライブ中に新しい施設に立ち寄って更新情報を有効に活用して、ドライブを快適に行うことができる。
【００６１】
（第２の実施形態）
次に、本発明の第２の実施形態について図６を参照しながら説明を行う。図６は、表示部１２に表示されたドライバ情報設定画面を示している。
【００６２】
本発明の第２の実施形態は、使用者が予めドライバ情報をドライバ情報設定画面で設定しておいて、制御部８は設定されたドライバ情報に基づいて表示部１２に表示する更新情報Ｂを変更する構成において第１の実施形態と異なる。第１の実施形態と同一部分については同一符号（同一ステップ番号）を付して説明を省略し、以下異なる部分についてのみ説明を行う。
【００６３】
使用者がドライバ情報（個別情報に相当）に基づいて、配信サーバ１から配信された更新情報を表示部１２に表示させたい場合、使用者は予めドライバ情報の設定を行っておく。
【００６４】
ドライバ情報の設定を行う要求操作が操作部１３、タッチパネルスイッチ１６を介して行われると、表示部１２に図６に示すドライバ情報設定画面が表示される。ドライバ情報設定画面には、「性別」、「年齢」、「趣味」を使用者が選択して設定できるようになっている。「性別」には「男」または「女」、「年齢」には「１０代」〜「５０代」までと「６０代以上」、趣味には「グルメ」、「ショッピング」、「スポーツ」、「歴史・文化」等の選択肢が表示されている。
【００６５】
これらの選択肢はタッチパネルスイッチ１６となっており、使用者が選択肢にタッチ操作を行うと、タッチ操作が行われた選択肢が設定されるとともに反転表示される。また、設定されている選択肢のタッチパネルスイッチ１６に再度タッチ操作を行うと、選択肢の設定と反転表示が解除される。
【００６６】
使用者がドライバ情報設定画面において選択肢の設定が完了して設定を登録しておきたい場合は、「完了」のタッチパネルスイッチ１６にタッチ操作を行う。「完了」のタッチパネルスイッチ１６にタッチ操作が行われると、ＨＤＤ（登録部に相当）１１にドライバ情報が記憶、登録されて、表示部１２の表示が、地図情報Ａが表示される通常画面に切り替わる。
【００６７】
一方、「キャンセル」のタッチパネルスイッチ１６に対するタッチ操作が行われると、ドライバ情報設定画面で設定された選択肢の情報は反映されず表示部１２の表示が通常画面に切り替わる。
【００６８】
なお、使用者は「性別」、「年齢」、「趣味」の全ての設定を行う必要はなく、設定したい選択肢だけを選択すればよい。また、一つの選択肢について複数選択が可能である。さらに、使用者はドライバ情報の設定を随時変更できる。
【００６９】
配信サーバ１は、更新情報を作成する際にどのようなドライバ情報に対応した更新情報かを示すドライバ情報を含ませる。更新情報に含ませるドライバ情報は、ナビゲーション装置２のドライバ情報設定画面で表示される選択肢に対応したものである。このドライバ情報を含んだ更新情報は、更新情報記憶部３に記憶される。
【００７０】
使用者が更新情報選択処理を行い、配信サーバ１からナビゲーション装置２に更新情報が配信されてくると、制御部８はＨＤＤ１１に更新情報を記憶する。制御部８は、ＨＤＤ１１に記憶された更新情報に含まれるドライバ情報がＨＤＤ１１に記憶、登録されたドライバ情報に合致する更新情報Ｂだけを選択して表示部１２に一覧表示する。
【００７１】
以上のような第２の実施形態によれば、ドライバ情報を設定して更新情報を配信サーバ１からダウンロードして表示部１２に表示させる場合は、予め使用者によって設定されたドライバ情報に対応した更新情報だけが表示部１２に一覧表示されることとなる。
【００７２】
つまり、使用者のドライバ情報に基づいて、使用者が必要とする更新情報のみが表示部１２に表示されるので、表示部１２に使用者が必要としない更新情報Ｂまで表示されることがなくなる。
【００７３】
これにより、使用者は必要とする更新情報Ｂだけを容易に把握することができ、ドライブ中に新しい施設に立ち寄って更新情報を有効に活用して、ドライブを快適に行うことができる。
本発明は上記し且つ図面に記載した実施形態にのみ限定されるものではなく、以下のような変形又は拡張が可能である。
使用者によって更新情報Ｂの一覧表示が要求されると、更新情報Ｂが一覧として表示部１２に表示されるとしたが、表示部１２に表示される更新情報Ｂは、ＧＰＳ受信部で受信したＧＰＳ信号、ジャイロセンサ１４で検出した進行方向情報、車速センサ１５で検出した車速情報に基づいて検出された自車両から所定距離以内の更新情報Ｂのみが表示部１２に一覧表示される構成としてもよい。なお、使用者によるナビゲーション装置２の設定変更によって所定距離を変更可能とする。このような構成によると、使用者は自車両の位置から所定距離以内にある更新情報を容易に把握することができるので、自車両周辺の更新情報Ｂとして表示部１２に表示される施設に立ち寄るなど、快適なドライブを行うことができる。
使用者が操作部１３またはタッチパネルスイッチ１６に対して更新情報を要求する操作を行った場合に、配信サーバ１と通信して更新情報をダウンロードすると記載したが、配信サーバ１とナビゲーション装置２とが所定期間毎に通信をしており、ナビゲーション装置２のＨＤＤ１１に記憶されている地図情報よりも新しい更新情報が配信サーバ１で作成されて更新情報記憶部３に記憶されている場合に、配信サーバ１からナビゲーション装置２に更新情報が配信される構成としてもよい。この場合の所定期間は、製品の仕様、または、使用者による設定の変更によって変更可能とする。
【００７４】
配信サーバ１は、ナビゲーション装置２から現状に即した情報がアップロードされて、このアップロードされた情報に基づいて更新情報を作成する構成であってもよい。
制御部８は、ＨＤＤ１１に記憶されている地図情報に配信サーバ１からダウンロードした更新情報Ｂを書き込んで、ＨＤＤ１１に更新情報Ｂを記憶しておくと記載したが、更新情報を記憶しておく記憶部をＨＤＤ１１とは別途に設ける構成としてもよい。
【００７５】
表示部１２は液晶パネルで構成されていなくても地図情報Ａが視覚的に認識できて把握できる構成であればよく、例えば有機ＥＬディスプレイパネル、プラズマディスプレイパネル、冷陰極フラットパネルディスプレイ等のフラットディスプレイ、電子ペーパー等で構成されていてもよい。
【図面の簡単な説明】
【００７６】
【図１】地図情報配信システムの概略を示すブロック図
【図２】更新情報の一覧が表示された表示部の正面図
【図３】地図情報の更新処理を示すフローチャート
【図４】更新情報選択画面に表示される選択肢の一例を示した図
【図５】更新情報表示処理を示すフローチャート
【図６】ドライバ情報設定画面が表示された表示部の正面図
【符号の説明】
【００７７】
図面中、１は配信サーバ（配信部）、２はナビゲーション装置（経路案内装置）、８は制御部、１１はハードディスク（地図情報格納部、更新情報格納部、登録部）、１２は表示部を示す。
【図１】
2009244221.tif 000003
【図２】
2009244221.tif 000004
【図３】
2009244221.tif 000005
【図４】
2009244221.tif 000006
【図５】
2009244221.tif 000007
【図６】
2009244221.tif 000008